(57)【要約】 【課題】本発明は胴部にフィットし、ずれにくく且つ極めて簡単に装着が可能となると共に折畳みが簡単で収納及び取出しも簡単でワンタッチで装着できる水作業用腰下エプロンを提供することを目的とする。【解決手段】胴部から足首付近まで覆う逆台形状で防水性のエプロン本体１の上部両側に面ファスナー２を取付け、該面ファスナー２より内側に伸縮自在なギャザー部３を設けると共にその各ギャザー部３の上に調節用紐４を取付ける構造とする。また面ファスナー２のオス部21をエプロン本体１の上部一端側の裏面に取付けると共に面ファスナー２のメス部22を上部他端側の表面に取付けると良く、更にオス部41aとメス部41bから成る係止部41を調節用紐４に取付け、該調節用紐４を挿通させるための紐掛輪42を取付けると良い。又、エプロン本体１の上部裏面に吊下用紐と吊下用紐輪を取付けると良い。【選択図】図１
2005256228.tif 000002
【特許請求の範囲】
【請求項１】
胴部から足首付近まで覆う防水性のエプロン本体（１）の上部両側に面ファスナー（２）を取付け、該面ファスナー（２）より内側にギャザー部（３）を設けると共にその各ギャザー部（３）の表面に調節用紐（４）を取付けたことを特徴とする水作業用腰下エプロン。
【請求項２】
前記エプロン本体（１）の布地形状が、略逆台形状である請求項１記載の水作業用腰下エプロン。
【請求項３】
前記エプロン本体（１）の上辺が下方に湾曲してカットされた請求項１又は２記載の水作業用腰下エプロン。
【請求項４】
前記エプロン本体（１）の材質が、ウレタンカラーコーティングのエプロン用基布である請求項１、２又は３記載の水作業用腰下エプロン。
【請求項５】
前記面ファスナー（２）が、オス部（21）とメス部（22）から成り、前記エプロン本体（１）の上部一端側の裏面に前記オス部（21）が取付けられ、前記エプロン本体（１）の上部他端側の表面に前記メス部（22）が取付けられた請求項１記載の水作業用腰下エプロン。
【請求項６】
前記ギャザー部（３）の内部にゴム紐が装着されて伸縮自在と成し、且つ前記ギャザー部（３）の一端側に前記調節用紐（４）を取付けると共にその表面に、オス部（41a）とメス部（41b）から成る係止部（41）を取付け、前記ギャザー部（３）の他端側に、前記調節用紐（４）を挿通させるための紐掛輪（42）が前記ゴム紐を介して取付けられた請求項１記載の水作業用腰下エプロン。
【請求項７】
前記エプロン本体（１）の上部裏面に吊下用紐（５）を取付け、該吊下用紐（５）の先端側にオス部である係止部（51）が取付けられた請求項１、２、３、４又５は記載の水作業用腰下エプロン。
【請求項８】
前記エプロン本体（１）の上部裏面に、前記吊下用紐（５）を挿通して吊下させるための吊下用紐輪（６）が取付けられた請求項７記載の水作業用腰下エプロン。
【発明の詳細な説明】
【技術分野】
【０００１】
本発明は重い鍋や釜を使用しながら学校や工場等の給食などが調理される際や、水を多く使用すると共に重量のある物を扱う作業が行われる場合に、衣服の汚れを防止すると共に防水のために装着する水作業用腰下エプロンに関する。
【背景技術】
【０００２】
一般に重い鍋や釜を使用しながら学校や工場等の給食などが調理される際や、水を多く使用すると共に重量物を扱う作業などが行われる場合に使用される胴部から足首付近までの長さがある厚手の水作業用腰下エプロンとしては、防水性を有したゴム製のものが殆ど使用されている。この水作業用腰下エプロンは、四角形状のエプロン本体の上部の両端にゴム紐やロープなどの締付紐が取付けられている。この締付紐を結ぶ場合は、エプロン本体が重いため、それを装着して一日中作業を行うと、エプロン本体がずれ易くなって締付紐が解けてしまう恐れがあり、作業中に解けないように締付紐は巻き付けて一般に前側でしっかりと結んで使用されている。尚、他の腰下エプロン（腰巻状のギャルソンタイプ）としては、登録実用新案第３０９４２６６号がある。このエプロンは、肩掛けタイプ及び腰巻状のギャルソンタイプの二つのタイプの使用が可能で、その使い分けを簡単に行うことが出来る構造としたものである。
【０００３】
しかしながら前記水作業用腰下エプロンを装着する際、そのエプロン本体の締付紐が強く且つしっかりと結ばなければならず、装着が面倒であり、且つ、しっかりと結ばれたエプロン本体を装着した後、かがむ作業を行うと、胴部が強く圧迫されるので腹部は紐で強く締付けられて苦しくなり、身体に良くないと共に紐のあとが身体に付いていた。又、締付紐の結び目が前側に来るため、物を抱えた時や台に物を載せて作業をする時に結び目が邪魔になっていた。しかもエプロン本体が身体に対して大きなサイズのものを使用すると、特に痩せ型の作業者が装着して作業を行う場合、エプロン本体の重なり合う部分が多くなり、身動きが思うようにならなくなる恐れがあると共に足首付近のエプロン本体が重なり合っていると、足のモタツキや転倒の恐れを生じる等の問題点があった。
【特許文献１】登録実用新案第３０９４２６６号公報
【発明の開示】
【発明が解決しようとする課題】
【０００４】
本発明は胴部にフィットし且つずれにくいと共に極めて簡単に装着が可能となる水作業用腰下エプロンを提供することを目的とする。
【０００５】
本発明の別の目的は、折畳みが簡単で収納及び取出しも簡単で且つワンタッチで装着できる水作業用腰下エプロンを提供するにある。
【課題を解決するための手段】
【０００６】
本発明は上記問題点を解消するために成されたものであり、つまり、胴部から足首付近まで覆う防水性のエプロン本体の上部両側に面ファスナーを取付け、該面ファスナーより内側にギャザー部を設けると共にその各ギャザー部の表面に調節用紐を取付ける構造とする。またエプロン本体として、ウレタンカラーコーティングのエプロン用基布を逆台形状に形成したものを用いると良く、且つオス部とメス部から成る面ファスナーを用い、そのオス部をエプロン本体の上部一端側の裏面に取付けると共にメス部を上部他端側の表面に取付けると良い。又、ギャザー部の内部にゴム紐を装着し伸縮自在と成し、且つギャザー部の横に、オス部とメス部から成る係止部を調節用紐の表面に取付けると共に、該調節用紐を挿通させるための紐掛輪をエプロン本体の上部に取付けると良く、更にエプロン本体の上部裏面に吊下用紐と吊下用紐輪を取付けると良い。
【発明の効果】
【０００７】
請求項１のように胴部から足首付近まで覆う防水性のエプロン本体（１）の上部両側に面ファスナー（２）を取付け、該面ファスナー（２）より内側にギャザー部（３）を設けると共にその各ギャザー部（３）の表面に調節用紐（４）を取付けることにより、従来の長い締付紐でしっかりと結ぶ代りに、面ファスナー（２）と調節用紐（４）で胴部にフィットし、且つ、ずれにくいものとすることが可能となるため、エプロン本体（１）の装着が極めて簡単に且つ素早く行えると共にウエストのサイズを気にせず装着できるものとなり、更にかがむ作業を行っても胴部が従来の締結紐のように強く圧迫されず、身体に悪影響を与える心配がないものとなった。しかも前側には紐の結び目がないため、作業の邪魔になるものがなくなり、見た目がスッキリしたものとなる。
【０００８】
請求項２のようにエプロン本体（１）の布地形状を略逆台形状とすることにより、従来の四角形状のものと比べ、足首付近の最低の長さ（下辺）、つまり、太った作業者が装着しても前側が防水できると共に痩せた作業者が装着しても足首付近が重なり合うことがない長さ、例えば９０ｃｍを確保し、且つ太った作業者の胴回りに対応する長さ、つまり上辺として、例えば１０５ｃｍを確保して作れば、痩せた作業者が装着しても従来の如き足首付近が重なり合うことがなくなり、足のモタツキや転倒の恐れがなくなると共に動き易いものとなるのである。また太った作業者でもウエストのサイズを気にせず簡単に装着できるものとなる。
【０００９】
請求項３に示すようにエプロン本体（１）の上辺を下方に湾曲してカットすることにより、エプロン本体（１）が身体によりフィットするものとなる。
【００１０】
請求項４に示すようにエプロン本体（１）の材質としてウレタンカラーコーティングのエプロン用基布を用いることにより、全体が軽くて丈夫になり、防水性が完全なものになると共に老化による変色が殆どなく、耐油性に優れ、機械油等には殆ど変色しないものとなる。更に寒冷下での作業にも適し、しかも抗菌防臭加工を基布に施してあるので、繊維上の菌の増殖を抑制し、防臭効果が得られる。
【００１１】
請求項５のように面ファスナー（２）が、オス部（21）とメス部（22）から成り、オス部（21）をエプロン本体（１）の上部一端側の裏面に取付けると共にメス部（22）を上部他端側の表面に取付けることにより、面ファスナー（２）の係止位置の調節が出来るため、ウエストのサイズを気にせず装着できるものとなると共にエプロン本体（１）の装着が簡単に行えるものとなる。
【００１２】
請求項６のようにギャザー部（３）の内部にゴム紐が装着されて伸縮自在と成し、且つギャザー部（３）の一端側に調節用紐（４）を取付けると共にその表面に、オス部（41a）とメス部（41b）から成る係止部（41）を取付け、ギャザー部（３）の他端側に、調節用紐（４）を挿通させるための紐掛輪（42）が取付けられることにより、胴部にエプロン本体（１）を面ファスナー（２）によって装着させる際、胴部にはギャザー部（３）の弾力が作用する状態となり、しかも調節用紐（４）で更に胴部を締めてより強くフィットされるものとなる。また調節用紐（４）の先端側に取付けられた紐掛輪（42）が、ゴム紐を介してエプロン本体（１）に取付けられているため、従来の肩掛けエプロンなどに取付けられる通常の紐掛輪が布を介して布地に縫付けられるのに対して、エプロン本体（１）の布地に加わる負担が小さくなり、従来の如き布地が伸びたり、切れたり、縫い目が解けたりする心配がなくなる。
【００１３】
請求項７に示すようにエプロン本体（１）の上部裏面に吊下用紐（５）を取付け、該吊下用紐（５）の先端側にオス部である係止部（51）を取付けることにより、面ファスナー（２）のメス部（22）に係止させることが出来るため、エプロン本体（１）を折畳んだ状態で吊下させることが簡単にできるものとなる。
【００１４】
請求項８に示すようにエプロン本体（１）の上部裏面に、吊下用紐（５）を挿通して吊下させるための吊下用紐輪（６）が取付けられることにより、エプロン本体（１）をきちんと縦長に折畳んだ状態が保持され、それを吊下させることが簡単にできるものとなるため、嵩張らずにロッカー等に収納でき、且つ装着する際にも取出しが簡単でワンタッチで装着できるものとなる。
【発明を実施するための最良の形態】
【００１５】
図１は本発明の実施形態を示す図であり、これに基づいて説明する。（１）は胴部から足首付近まで覆う防水性のエプロン本体であり、該エプロン本体（１）の布地形状は図２に示す２点鎖線で示す略逆台形で且つ上辺が下方に湾曲してカットされると共にそれが縫製されている。また前記エプロン本体（１）の材質としては、軽くて丈夫で耐油性や耐寒性などの備わったウレタンカラーコーティングのエプロン用基布を用いるのが好ましく、例えば、第一レース株式会社の商品名「ウレタンカラー」を用いるのが良い。この商品には抗菌防臭加工が施されているので、繊維上の菌の増殖を抑制し、防臭効果が得られるものとなる。尚、前記エプロン本体（１）の形状は縫製され、後述するギャザー部（３）が設けられることにより、上辺が図２に示す矢印のように内側に寄せられるため、製品状態では略四角形状になるのである。（２）はエプロン本体（１）の上部両側に取付けた面ファスナーであり、該面ファスナー（２）にはオス部（21）とメス部（22）があり、前記オス部（21）は左側の上部裏面に取付けられると共に外側へ突出されている。また前記メス部（22）は右側の上部表面に取付けられている。この面ファスナー（２）の取付長さとしては、ウエストサイズが６０ｃｍ〜１０５ｃｍの範囲に調節出来るものとするのが好ましい。尚、前記面ファスナー（２）は他の形式のものでも良い。
【００１６】
（３）は面ファスナー（２）より内側に設けた２つのギャザー部であり、該ギャザー部（３）の内部にゴム紐を装着させて伸縮自在と成し、好ましくはギャザー部（３）が装着時に作業者の横側に来るように設けるのが好ましい。（４）は各ギャザー部（３）の一端側に取付けた調節用紐であり、該調節用紐（４）には、係止部（41）とＤ形で樹脂製の紐掛輪（42）が具備されており、前記係止部（41）はオス部（41a）とメス部（41b）から成り、そのオス部（41a）は調節用紐（４）の先端に取付け、メス部（41b）は図３（ａ）に示すようにオス部（41a）から少し離して調節用紐（４）に取付けられている。また前記紐掛輪（42）はゴム紐を介して図３（ｂ）のようにエプロン本体（１）の上部で且つギャザー部（３）の他端側に取付けられている。前記調節用紐（４）が使用される時にはギャザー部（３）の表面に取付けられた状態となる。尚、前記係止部（41）のオス部（41a）の長さはメス部（41b）よりも長く、好ましくは２倍〜４倍程度が良く、また前記係止部（41）には面ファスナーを用いると良い。又、前記紐掛輪（42）は市販品を用いると良い。（５）はエプロン本体（１）の上部裏面に取付けた吊下用紐であり、該吊下用紐（５）の先端側にはオス部である係止部（51）が取付けられている。（６）はエプロン本体（１）の上部裏面に取付けられた２つの吊下用紐輪であり、該吊下用紐輪（６）は吊下用紐（５）を通して吊下する時に使用するものである。
【００１７】
本発明品の装着方法について説明すると、先ず始めにエプロン本体（１）を身体の前側の胴部に当て、面ファスナー（２）を固定する。この時は、片手にオス部（21）を持ち、他方の手にメス部（22）を持ちながら且つ前側をフィットさせて、オス部（21）をメス部（22）に押付けて固定する。するとエプロン本体（１）の表側は図４（ａ）に示すように胴部から足首付近までが隠れるのである。次に調節用紐（４）の調節を行う。この調節方法としては、先ず調節用紐（４）の先端を紐掛輪（42）に通すと図３（ａ）のようになる。そして、調節用紐（４）の先端を図３（ｂ）に示す矢印のように紐掛輪（42）で折返すと共に胴部がより一層フィットする位置までオス部（41a）を引張り、該オス部（41a）をメス部（41b）に押付けて固定させる。また他方の調節用紐（４）も同様にその先端を紐掛輪（42）に通して固定させる［図３（ｂ）参照］。この結果、エプロン本体（１）の裏側は図４（ｂ）に示すように胴部では面ファスナー（２）と調節用紐（４）の係止部（41）が係止されてウエストサイズに対応すると共にギャザー部（３）の弾力によってもウエストサイズが対応するものとなる。またエプロン本体（１）の下方では隙間ができ、足が自由になるので、身体にフィットすると共に動き易いものとなる。尚、前記調節用紐（４）がギャザー部（３）の表面にない場合、つまり、ギャザー部（３）だけの時は、ギャザー部（３）の広がりが余り規制されない状態であるため、エプロン本体（１）がずれる恐れがある。このため、前記調節用紐（４）をギャザー部（３）の表面に取付けることにより、ギャザー部（３）の広がりが規制されるため、エプロン本体（１）のずれ防止が確実なものとなるのである。
【００１８】
一方、発明品を外す時は、面ファスナー（２）を解除するだけで取外すことが出来るものとなる。この時、調節用紐（４）の係止部（41）を解除しても良いが、そのままにして置いても良い。このようにすると、本発明品を次に装着する際は、面ファスナー（２）だけを係止するだけで身体にフィットするものとなり、ワンタッチの装着が可能となるのである。次にエプロン本体（１）を畳む際に、縦長な４つ折りに畳むと共に吊下用紐（５）を引出して図５（ａ）に示すように２つの吊下用紐輪（６）に挿通させる。そして吊下用紐（５）の先端の係止部（51）を面ファスナー（２）のメス部（22）に押付けて固定する。その後、吊下用紐（５）の中央部を持上げ、その中央部をフックなどに引掛けることにより、エプロン本体（１）が図５（ｂ）のように吊下されるのである。従って、エプロン本体（１）を折畳んで吊下させることが簡単にでき、且つロッカー等に嵩張らずに収納でき、更に装着する際にも取出しが容易で装着し易いものとなるのである。
【図面の簡単な説明】
【００１９】
【図１】本発明の実施形態の表側を示す説明図である。
【図２】本実施形態の裏側を示す説明図である。
【図３】本実施形態の調節用紐の使い方を示す説明図である。
【図４】本発明の使用状態を示す説明図である
【図５】本発明品が縦長に折畳まれ且つ吊下される状態を示す説明図である。
【符号の説明】
【００２０】
１  エプロン本体
２  面ファスナー
21  オス部
22  メス部
３  ギャザー部
４  調節用紐
41  係止部
41aオス部
41bメス部
42  紐掛輪
５  吊下用紐
51  係止部
６  吊下用紐輪
【図１】
2005256228.tif 000003
【図２】
2005256228.tif 000004
【図３】
2005256228.tif 000005
【図４】
2005256228.tif 000006
【図５】
2005256228.tif 000007